(57)【要約】【課題】  ガラス板の振動に起因して発生するビビリ音を抑制できる遊技機を提供することを目的とする。【解決手段】  遊技領域を備えた遊技機本体部３ａと、遊技機本体部３ａに開閉可能に設けられ、開口２６ａを有する前面枠５０と、前面枠５０に取り付けられ、開口２６ａに位置して遊技領域２ａを視認可能にするガラス板４３を支持する弾性を有したガラス板取付レール３０とを備えている。遊技機本体部３ａには、前面枠５０が遊技機本体部３ａに対して閉じられた状態で開閉側ガラス板取付レール３０ａに圧接してこの開閉側ガラス板取付レール３０ａを弾性変形させるレール圧接部６０が設けられている。【選択図】        図１２
2007029339.tif 000002
【特許請求の範囲】
【請求項１】
遊技領域を備えた遊技機本体部と、
前記遊技機本体部に開閉可能に設けられ、開口を有する前面枠と、
前記前面枠に取り付けられ、前記開口に位置して前記遊技領域を視認可能にする透光性部材を支持する弾性を有したレールと、
前記遊技機本体部に設けられ、前記前面枠が前記遊技機本体部に対して閉じられた状態で前記レールに圧接して当該レールを弾性変形させるレール圧接部と、
を有することを特徴とする遊技機。
【請求項２】
前記レール圧接部は、前記レールに沿って延展されていることを特徴とする請求項１記載の遊技機。
【請求項３】
前記レールは、前記透光性部材の端部を受け入れてこれを挟持する断面コ字状の受け入れ部を有し、
前記レール圧接部は、前記受け入れ部に圧接して当該受け入れ部を前記透光性部材に圧接させる
ことを特徴とする請求項１または２記載の遊技機。
【請求項４】
前記透光性部材は、相互に前後方向に配置された第１の透光性部材および第２の透光性部材とからなり、
前記レールは、前記第１の透光性部材を受け入れる前記受け入れ部と、前記第２の透光性部材の一方面側の端部を支持する支持部とを備え、
前記受け入れ部と前記支持部との間には、前記レール圧接部が前記受け入れ部に圧接した際の圧接力を伝達し、前記支持部を弾性変形させる圧接力伝達部が形成されている
ことを特徴とする請求項１〜３の何れか一項に記載の遊技機。
【発明の詳細な説明】
【技術分野】
【０００１】
本発明は遊技機に関し、特に透光性部材を備えた前面枠からの異音発生の防止に関するものである。
【背景技術】
【０００２】
遊技機は、島設備側に取り付けられる木製のベース枠に、主な電子部品が搭載された遊技機本体部が開閉自在に軸支されている。遊技機本体部には遊技球が流下する遊技が行われる遊技領域を有する遊技盤が取り付けられるとともに、ガラス（透光性部材）の嵌め込まれたガラス枠（前面枠）が開閉自在に設けられており、ガラスを通して遊技領域が視認可能になっている。
【０００３】
ここで、従来の遊技機では、ガラス枠にガラスを保持する弾性レール（レール）を設け、この弾性レールにガラスを固定することにより、ガラスの振動によりレールとガラスとの間でのいわゆるビビリ音の発生を抑制するものがある（例えば特開２００４−１５９９９１号公報）
【特許文献１】特開２００４−１５９９９１号公報
【発明の開示】
【発明が解決しようとする課題】
【０００４】
このような従来の遊技機では、レールとガラスとの間で発生するビビリ音は抑制されるが、レールとガラス枠、ひいてはガラス枠と遊技機本体部との間で発生するビビリ音まで、広くガラスの振動に伴う異音を抑制することはできない。
【０００５】
そこで、本発明は、透光性部材の振動に起因して発生するビビリ音を抑制することのできる遊技機を提供することを目的とする。
【課題を解決するための手段】
【０００６】
上記課題を解決するため、請求項１に記載の本発明の遊技機は、遊技領域を備えた遊技機本体部と、遊技機本体部に開閉可能に設けられ、開口を有する前面枠と、前面枠に取り付けられ、開口に位置して遊技領域を視認可能にする透光性部材を支持する弾性を有したレールと、遊技機本体部に設けられ、前面枠が遊技機本体部に対して閉じられた状態でレールに圧接して当該レールを弾性変形させるレール圧接部と、を有することを特徴とする。
【０００７】
これにより、弾性変形したレールによって透光性部材が挟み込まれ、さらに当該透光性部材が前面枠に押さえつけられるので、レールと透光性部材との間で発生するビビリ音のみならず、レールと前面枠、ひいては前面枠と遊技機本体部との間で発生するビビリ音まで、広く透光性部材の振動に起因して発生するビビリ音を抑制することが可能になる。
【０００８】
請求項２に記載の本発明は、請求項１記載の発明の構成に加えて、レール圧接部は、レールに沿って延展されていることを特徴とする。
【０００９】
これにより、レールはレール圧接部によって広範囲にわたり弾性変形されるので、レールと透光性部材との間の振動が確実に抑制され、透光性部材の振動に起因して発生するビビリ音をより確実に抑制することが可能になる。
【００１０】
請求項３に記載の本発明は、請求項１または２記載の発明の構成に加えて、レールは、透光性部材の端部を受け入れてこれを挟持する断面コ字状の受け入れ部を有し、レール圧接部は、受け入れ部に圧接して当該受け入れ部を透光性部材に圧接させることを特徴とする。
【００１１】
これにより、透光性部材が断面コ字状の受け入れ部によりレールに確実に挟み込まれるので、レールと透光性部材との間の振動が確実に抑制されるとともに、レールにより透光性部材を強固に支持することが可能になる。
【００１２】
請求項４に記載の本発明は、請求項１〜３の何れか一項に記載の発明の構成に加えて、透光性部材は、相互に前後方向に配置された第１の透光性部材および第２の透光性部材とからなり、レールは、第１の透光性部材を受け入れる受け入れ部と、第２の透光性部材の一方面側の端部を支持する支持部とを備え、受け入れ部と支持部との間には、レール圧接部が受け入れ部に圧接した際の圧接力を伝達し、支持部を弾性変形させる圧接力伝達部が形成されていることを特徴とする。
【００１３】
これにより、２枚の透光性部材の何れもが弾性変形したレールによって振動が抑制されるので、透光性部材を前後に２枚配置した場合であっも、広く透光性部材の振動に起因して発生するビビリ音を抑制することが可能になる。
【発明の効果】
【００１４】
本発明によれば以下の効果を奏することができる。
【００１５】
すなわち、本発明によれば、弾性変形したレールによって透光性部材が挟み込まれ、さらに当該透光性部材が前面枠に押さえつけられるので、レールと透光性部材との間で発生するビビリ音のみならず、レールと前面枠、ひいては前面枠と遊技機本体部との間で発生するビビリ音まで、広く透光性部材の振動に起因して発生するビビリ音を抑制することが可能になる。
【発明を実施するための最良の形態】
【００１６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１７】
図１は本発明の一実施の形態である遊技機を示す斜視図、図２は図１に示した遊技機の正面図、図３は本発明の一実施の形態である遊技機の前面枠を背面側から示す正面図、図４は本発明の一実施の形態である遊技機の前面枠を背面側から示す斜視図、図５は開閉側ガラス板取付レールを前面枠とともに示す側面図、図６は下部側ガラス板取付レールを前面枠とともに示す平面図、図７はガラス板の取り付け作業状態を示す説明図、図８は本発明の一実施の形態である遊技機の遊技機本体を示す斜視図、図９は前面枠と遊技機本体とを並べて示す分解斜視図、図１０は遊技機本体部に設けられたレール圧接部を示す斜視図、図１１はレール圧接部と開閉側ガラス板取付レールとを示す側面図、図１２はレール圧接部と開閉側ガラス板取付レールとを断面をとって詳しく示す斜視図である。
【００１８】
図１および図２に示すように、パチンコ遊技機（遊技機）１は、遊技盤２（図２）が装着される遊技機本体部３ａがヒンジを介して島設備に固定される枠体３ｂに回動可能に取り付けられ（すなわち、遊技機本体部３ａは、遊技機本体部３ａの一方端を回動支点として支持されて当該枠体３ｂに開閉自在に支持されて装着される。）、これら遊技機本体部３ａおよび枠体３ｂで遊技機本体（ベース枠）３が構成されている。そして、このような遊技機本体３の遊技機本体部３ａに対して、スピーカ８ａ，８ｂ、液晶表示装置（ＬＣＤ）２１、遊技盤２を視認可能に被うガラス扉９、上皿部４、下皿部５、カバー６およびハンドル７が備えられている。
【００１９】
遊技盤２は、図２に示すように、レール１１に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動入賞口１４，１７を有する電動役物構成部材１８からなる遊技部材が配置されている。
【００２０】
ここで、一般入賞口１２は、遊技球が入賞すると所定の数の遊技球が払い戻される装置、通過ゲート１３は、遊技球が通過したことを契機として普通図柄表示領域に表示される複数の図柄を変動および停止させるための装置、始動入賞口１７は、遊技球が入賞したことを条件として特別図柄表示領域に表示される特別図柄を変動および停止させるための装置、大入賞口１５は、特別図柄表示領域の停止時における特別図柄の組み合わせが予め設定された特定の図柄の組み合わせ（大当り表示態様）となって大当り遊技状態（大当り遊技状態とは、いわゆる大当りが発生した状態をいう。）に移行した場合に、所定の設定に従って所定条件の下所定回数だけ扉が開閉（すなわち、所定時間内に大入賞口１５の特定領域を通過する遊技球数が１以上である場合に限り（いわゆるパンクが発生しない限り）所定回数だけ大入賞口１５が開放し、遊技球を受け入れ易い開放状態と、受け入れ難い閉鎖状態とに所定回数だけ変化する。なお、開放状態と閉鎖状態とに変化する動作をラウンド動作という。）するように制御される装置である。
【００２１】
また、アウト口１６は、一般入賞口１２、始動入賞口１４，１７、大入賞口１５の何れにも入賞しなかった遊技球が流入して回収される装置である。
【００２２】
上記通過ゲート１３は、通過する遊技球を検出するようになっている。この通過ゲート１３を通過した遊技球は通過記憶情報として記憶されるようになっており、この通過記憶情報に基づいて、普通図柄表示領域における図柄の変動表示が行なわれる。また、遊技領域２ａの右側上部には、通過ゲート１３の通過記憶個数を表示する４個の普通図柄記憶ＬＥＤ（図示せず）が設けられている。この普通図柄記憶ＬＥＤの点灯個数により、通過ゲート１３を通過した遊技球の通過記憶個数を表示することができる。
【００２３】
上記普通図柄表示領域では、例えば２個の普通図柄が交互に点滅するようになっており、２個の普通図柄の点滅が終了して「当り」が表示された場合に、電動役物構成部材１８に設けられた始動入賞口１７が、所定時間だけ遊技球を受け入れ易い状態に切り換わる。
【００２４】
なお、上記普通図柄表示領域の替わりに、遊技盤２の任意の場所に２個の普通図柄表示ＬＥＤを備え、このＬＥＤの点滅により「当り」を表示してもよい。また、この２個の普通図柄表示ＬＥＤを例えば７セグメント表示器等により構成することもできる。この場合には、７セグメント表示器に表示する普通図柄として、例えば「０」、「１」、「２」、・・・「７」、「８」、「９」等の数字を変動表示し、停止表示された数字が「３」あるいは「７」となった場合を「当り」とする。
【００２５】
上記始動入賞口１７は、遊技球を受け入れる受け入れ口を有しており、遊技球を受け入れ易い状態と、遊技球を受け入れ難い状態との間で切換可能な開閉機構を備えた装置である。この始動入賞口１７は、通常の状態では遊技球を受け入れ難い状態となっており、所定の条件が成立した場合（例えば、普通図柄表示領域の普通図柄が、「当り」を意味する図柄で停止した場合）に、所定時間（例えば、０．３秒間）だけ開いて遊技球を受け入れ易い状態に切り換えられる。なお、当該受け入れ口に遊技球が入賞すると所定の数の遊技球が払い戻される。
【００２６】
また、始動入賞口１４，１７への入賞球は入賞記憶可能となっており、この入賞記憶に基づいて、特別図柄表示領域における特別図柄の変動表示が行なわれる。遊技領域２ａの中央部には、始動入賞口１４，１７への入賞記憶個数を表示する４個の特別図柄記憶ＬＥＤ（図示せず）が設けられている。この特別図柄記憶ＬＥＤの点灯個数により、始動入賞口１４，１７への入賞記憶個数を表示することができる。
【００２７】
また、特別図柄表示領域に表示される特別図柄は、例えば「０」、「１」、「２」・・・「９」等の３列の数字からなり、始動入賞口１７へ遊技球が入賞することを契機としてこれらの数字が変動表示されるようになっている。なお、これらの数字の変動表示が終了し、その変動表示結果（すなわち、停止表示された数字の組み合わせ。停止図柄ともいう。）が『「０」「０」「０」』、『「７」「７」「７」』等のように３個とも同一の数字となった場合の特別図柄の組み合わせを大当り表示態様（大当り図柄）という。この大当り表示態様は、遊技状態が、通常遊技状態と比較して遊技者に有利な大当り遊技状態に移行したこと（すなわち「大当り」となったこと）を遊技者に認識させるための表示態様である。なお、大当り表示態様以外の変動表示結果を非大当り表示態様（はずれ図柄）という。
【００２８】
また、大当り遊技状態とは、例えば大入賞口ＳＯＬが、大入賞口１５の扉を所定回数だけ開閉することで、通常遊技状態よりも多くの遊技球を入賞させやすくする遊技状態のことである。
【００２９】
なお、大当り遊技状態に移行したことを遊技者に認識させるための上記大当り表示態様は、確率変動大当りを示す表示態様である特別表示態様（確変大当り図柄）と、通常の大当りを示す表示態様である非特別表示態様（通常大当り図柄）とに分かれている。
【００３０】
また、特別表示態様は、「７」や「３」等の所定の数字が３個揃った場合をいい、一方、非特別表示態様は、特別表示態様以外の数字や図柄が３個揃った場合をいう。
【００３１】
なお、特別図柄の変動表示結果が特別表示態様となると（すなわち、確率変動大当りとなると）、大当り遊技状態終了後、特別図柄表示領域における特別図柄の変動表示結果が大当り表示態様となる確率の高い特別遊技状態（確率変動状態）へ移行される。一方、特別図柄の表示態様が非特別表示態様となると（すなわち、通常の大当りとなると）、大当り遊技状態終了後は通常の遊技状態へ移行される。
【００３２】
なお、本実施の形態において、上述した入賞記憶個数や通過記憶個数は、それぞれ普通図柄記憶ＬＥＤ、特別図柄記憶ＬＥＤに表示されるようになっているが、これに限られず、他の表示方法により表示されてもよい。例えば、表示領域２１ａに表示されるようになっていてもよい。
【００３３】
また、遊技盤２の背面には、演出画像（例えば、遊技状態に対応したアニメーションやその他の報知情報など。以下、「演出情報画像」という。）等を表示可能な表示領域２１ａを備えた表示装置である液晶表示装置（ＬＣＤ）２１が配置されている。
【００３４】
液晶表示装置２１は、画像制御回路からの指示に基づいて任意の画像を表示領域２１ａに表示する。
【００３５】
なお、液晶表示装置２１の表示領域２１ａは、演出画像やその他の報知情報を表示する情報表示領域と、普通図柄の変動表示を行う普通図柄表示領域（普通図柄表示装置）と、特別図柄（識別図柄）の変動表示を行う特別図柄表示領域（特別図柄表示装置）とからなっている。
【００３６】
また、本実施の形態において、角形の形状をしている表示領域２１ａは、遊技領域２ａより大きくともよいし、小さくともよい。また、表示領域２１ａの形状は角形に限定されず、他の形状であってもよい。例えば、円形であってもよい。
【００３７】
また、遊技盤２が透明である本実施の形態では、液晶表示装置２１の表示領域２１ａが遊技盤２を通して視認可能に配置されている。また、液晶表示装置２１にかえて、例えばＣＲＴ（陰極線管）あるいはプラズマディスプレイ等を用いることもできる。
【００３８】
ガラス扉９および上皿部４は一体化して形成されて開閉扉である前面枠５０（図３、図４）を形成しており、この前面枠５０は、その一端が遊技機本体部３ａに回動可能に軸支され、他端が遊技機本体部３ａに係合するようになっている。なお、ガラス扉９は、可動可能に設けられた遊技盤２を視認可能に被うものである。
【００３９】
上皿部４はガラス扉９の下側に位置し、払い出された遊技球および遊技領域２ａに打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００４０】
上皿部４の下側に位置する下皿部５は、遊技機本体部３ａに固定されており、払い出しにより上皿４ａからオーバーフローした遊技球が貯留される下皿５ａを有している。
【００４１】
下皿部５の右側に設けられたハンドル７は、レール１１（図２）を介して遊技盤２の遊技領域２ａへ遊技球を打ち込む際に回動操作されるものであり、遊技球の発射を停止させるストップボタン（図示せず）が設けられている。
【００４２】
ガラス扉９の上側に位置するカバー６は遊技機本体部３ａに固定されており、カバー６の左右の部位６ａ，６ｂは、遊技機本体部３ａに設けられる左右のスピーカ８ａ，８ｂにそれぞれ対応しており、スピーカ８ａ，８ｂからの音声が聞こえるような構造になっている。スピーカ８ａ，８ｂは、所定の音（例えば、遊技状態に対応した音楽やその他の報知情報など）を出力する機能を有している。
【００４３】
図３および図４に示すように、前面枠５０は、扉ベース２６、装飾部材２７、受け部２８、補強板２９、およびガラス板取付レール３０（レール）の複数の構成要素からなっている。
【００４４】
扉ベース２６は、前面の下方領域に上皿４ａが取り付けられる上皿取付スペースが設けられるとともに、その上皿取付スペースの上方には遊技盤２の遊技領域２ａが臨む開口２６ａが形成されており、正面から見て矩形状になっている。
【００４５】
また、本実施の形態では、前面枠５０の開閉側に上下方向に配置された開閉側ガラス板取付レール３０ａの下方領域である扉ベース２６の裏面下側には、遊技機の奥行き方向に直交して突出するように突設部３１を備えている。この突設部３１は、受け部２８に形成された係合部４２（後述する）と対向する位置に近接して突設されている。なお、本実施の形態では、突設部３１は係合部４２よりも奥行き方向に背の高い立方体状に突設され、上下方向の幅も係合部４２と比して大きく形成されている。
【００４６】
装飾部材２７は、扉ベース２６の開口２６ａの外周縁を覆い、さらに上皿取付スペースに取り付けられる上皿部４の側方を装飾している。装飾部材２７は扉ベース２６の前面に取り付けられており、光による演出装置としてのランプ飾り（図示せず）が備えられている。
【００４７】
受け部２８は、長尺状に形成されて扉ベース２６の開閉側前面に上下方向に取り付けられている。受け部２８には、先端が横方向に略９０°屈曲された係合部４０，４１，４２が扉ベース２６の背面側に向けて突設されている。
【００４８】
補強板２９は、扉ベース２６における回動軸側前面に上下方向に取り付けられており、扉ベース２６の高さ方向長さと略同一長さを有する金属材料をもって長尺細板に形成され、その上端に回動軸となるヒンジピン２９ａを上下方向に移動可能に配設する取付部材（図示せず）が一体に備えられている。そして、取付部材を装飾部材２７側に向けて補強板２９が扉ベース２６の前面側部に取り付けられる。
【００４９】
ガラス板取付レール３０は、扉ベース２６の裏面に一体に突設されており、ガラス板（透光性部材）４３を着脱可能に嵌装する構成を有している。
【００５０】
本実施の形態では、ガラス板取付レール３０は、扉ベース２６裏面の開閉側に突出して遊技機の高さ方向にわたって備えた開閉側ガラス板取付レール（レール）３０ａと、扉ベース２６裏面の回動軸側に突出して遊技機の高さ方向にわたって備えた回動軸側ガラス板取付レール（レール）３０ｂと、扉ベース２６裏面の下部分側に突出して備えた下部側ガラス板取付レール（レール）３０ｃとで構成されている。そして、ガラス扉９の上部分を開放することにより、ガラス板４３がガラス板取付レール３０に着脱可能に嵌装されるようになっている。
【００５１】
そして、ガラス板取付レール３０は、それぞれ端部を開放した２本の平行な嵌装溝（受入部）３０ａ−２・３０ａ−２，３０ｂ−２・３０ｂ−２，３０ｃ−２・３０ｃ−２が枠内面側にて扉ベース２６の高さ方向にわたる連続した形状に構成されている。
【００５２】
回動軸側ガラス板取付レール３０ｂは、開口２６ａ（開閉側ガラス板取付レール３０ａ側）に向けて開放した２本の平行な嵌装溝３０ｂ−２・３０ｂ−２を内面側に備えて開口２６ａの高さよりも長い長尺状に形成されており、それぞれの嵌装溝３０ｂ−２・３０ｂ−２の上下端部は上下方向に向けて開放されている。
【００５３】
開閉側ガラス板取付レール３０ａは、図５に示すように、開口２６ａ（回動軸側ガラス板取付レール３０ｂ側）に向けて開放した２本の平行な嵌装溝３０ａ−２・３０ａ−２を内面側に備えて開口２６ａの高さよりも長い長尺状に形成されており、それぞれの嵌装溝３０ａ−２・３０ａ−２の上下端部は上下方向に向けて開放されている。そして、開閉側ガラス板取付レール３０ａの嵌装溝３０ａ−２は、回動軸側ガラス板取付レール３０ｂの嵌装溝３０ｂ−２と、その開口側が相対向して位置している。図示するように、開閉側ガラス板取付レール３０ａの嵌装溝３０ａ−２の上端は、ガラス板４３が当該嵌装溝３０ａ−２に容易に嵌装できるように、上方に向けて広げられている。
【００５４】
なお、本実施の形態では、開閉側ガラス板取付レール３０ａにおける長さ方向の略中心位置に、後術する移動補助部材２５を横方向に摺動可能に挿入配設する移動補助部材用貫通孔２５ａが外面側から内側面に貫通して設けられている。
【００５５】
下部側ガラス板取付レール３０ｃは、図６に示すように、開口２６ａ（上側）に向けて開放した２本の平行な嵌装溝３０ｃ−２・３０ｃ−２を内面側に備えて開口の幅よりも長い長尺状に形成されており、それぞれの嵌装溝１４ａの左右端部は左右方向に向けて開放されている。そして、下部側ガラス板取付レール３０ｃの嵌装溝３０ｃ−２は、開閉側ガラス板取付レール３０ａの嵌装溝３０ａ−２および回動軸側ガラス板取付レール３０ｂの嵌装溝３０ｂ−２と直交して連通している。
【００５６】
ここで、開閉側ガラス板取付レール３０ａおよび回動軸側ガラス板取付レール３０ｂは弾性を有した例えば樹脂製であり、下部側ガラス板取付レール３０ｃは金属製になっている。但し、開閉側ガラス板取付レール３０ａおよび回動軸側ガラス板取付レール３０ｂは、弾性を有している限り、樹脂以外で形成されていてもよい。また、このように弾性を有する部材で構成されるのは、後述するレール圧接部が圧接する取付枠（つまり、開閉側ガラス板取付レール３０ａ、回動軸側ガラス板取付レール３０ｂおよび下部側ガラス板取付レール３０ｃの少なくとも何れか１つの取付枠）であればよく、他の取付枠は弾性を有する部材で構成されていなくてもよい。したがって、下部側ガラス板取付レール３０ｃがレール圧接部で圧接される場合には、この下部側ガラス板取付レール３０ｃが弾性を有する部材で構成される。
【００５７】
本実施の形態では、前述のように、開閉側ガラス板取付レール３０ａの背面における長さ方向の略中心位置に、移動補助部材２５が横方向（水平方向）に摺動可能に挿入配設される移動補助部材用貫通孔２５ａが外面側から内面側に貫通して設けられている。
【００５８】
移動補助部材２５は、図４に示すように、開閉側ガラス板取付レール３０ａに設けられた移動補助部材用貫通孔２５ａに、横方向にスライド可能（開閉側から回動軸側に向けてスライド可能）に備えられており、上方から嵌装された２枚のガラス板（第１のガラス板および第２のガラス板）４３を回動軸側へと押圧して摺動移動させ、ぐらつきを規制している。
【００５９】
図３に示すように、回動軸側ガラス板取付レール３０ｂの内面側と開閉側ガラス板取付レール３０ａの内面側の間隔Ｌ１は、上方から開閉側ガラス板取付レール３０ａの嵌装溝３０ａ−２に嵌り込むようにして嵌装されたガラス板４３を移動補助部材２５を操作して回動軸側に移動（図３で向かって右方向へ移動）させて回動軸側ガラス板取付レール３０ｂの嵌装溝３０ｂ−２に嵌め込むことによってガラス板取付位置５１に取り付けるための移動空間Ｌ２を確保して構成されている。
【００６０】
すなわち、回動軸側ガラス板取付レール３０ｂの内面側と開閉側ガラス板取付レール３０ａの内面側の間隔Ｌ１は、嵌装されるガラス板４３の横幅よりも大きく構成されている。
【００６１】
そして、回動軸側ガラス板取付レール３０ｂの上端には、図３に示すように、上方からガラス板４３を嵌め込む際に、ガラス４が回動軸側ガラス板取付レール３０ｂの嵌装溝に嵌り込みながらガラス板取付レール３０に嵌装されるのを阻止するとともに、前述したようにガラス板４３が回動軸側へ移動した際の回動軸側ガラス板取付レール３０ｂの嵌装溝への嵌り込みを許容する上方嵌装阻止部３０ｂ−１が設けられている。
【００６２】
したがって、この上方嵌装阻止部３０ｂ−１は、ガラス板取付位置５１にガラス板４３を取り付けた状態で、このガラス板４３の上方への離脱を阻止する機能を有する。すなわち、上方嵌装阻止部３０ｂ−１は、上方からガラス板４３を嵌装する際には、上方嵌装阻止部３０ｂ−１が備えられている分だけ開閉側ガラス板取付レール３０ａに寄った位置からガラス板４３を嵌装させることとなるため、ランプ飾りやスピーカ、およびこれらの配線等との干渉を極力避けることができ、また、嵌装したガラス板４３がガラス板取付位置５１に到達した後には、ガラス板４３の上方への移動を阻止する。
【００６３】
上方嵌装阻止部３０ｂ−１は回動軸側ガラス板取付レール３０ｂの上端を覆う程度の平板状となっており、回動軸側ガラス板取付レール３０ｂの上端に一体成形されている。したがって、上方嵌装阻止部３０ｂ−１の先端（つまり、上方嵌装阻止部３０ｂ−１の開閉側ガラス板取付レール３０ａ寄りの端部）と開閉側ガラス板取付レール３０ａとの間で形成された空間Ｌ３に、上方からガラス板４３が嵌め込まれる。
【００６４】
また、回動軸側ガラス板取付レール３０ｂの上下位置における前後側面には、横方向に延設されたガラス板離脱防止片３０ｂ−３，３０ｂ−３が設けられており、ガラス板４３の前後方向への離脱を防止している（図７）。
【００６５】
なお、移動補助部材２５は、ガラス板４３をガラス板取付位置５１にセットしていないときには圧縮バネ（図示せず）によりガラス板取付レール３０の外方に突出しており、このような突出状態では移動補助部材２５が邪魔になって前面枠５０が遊技機本体部３ａに閉鎖不能となる。また、圧縮バネのバネ力に抗するように移動補助部材２５を操作し、ガラス板４３をガラス板取付位置５１である回動軸側ガラス板取付レール３０ｂの嵌装溝に嵌め込んだときには、この移動補助部材２５は係止部（図示せず）に係止されるようになっており、ガラス板取付レール３０から外方に突出することなく保持される。
【００６６】
したがって、ガラス板４３をガラス板取付位置５１に保持した状態であれば前面枠５０は遊技機本体枠３ａに対して閉鎖可能であるが、移動補助部材２５をガラス板取付レール３０から外方に突出させガラス板４３をはずした状態のままでは、移動補助部材２５が邪魔になって閉鎖不能となるため、ガラス板４３の取り付け忘れやガラス板取付位置５１へのセット忘れを作業者に喚起することができる。
【００６７】
本実施の形態の遊技機におけるガラス板４３の着脱について、図７を用いて説明する。
【００６８】
まず、前面枠５０を回動軸を支点に回動させて開放しておき、ガラス板４３を、上方から下降させるようにして開閉側ガラス板取付レール３０ａの嵌装溝３０ａ−２に嵌装する。
【００６９】
このとき、回動軸側ガラス板取付レール３０ｂの上端には上方嵌装阻止部３０ｂ−１が備えられていることから、上方嵌装阻止部３０ｂ−１を避けなければガラス板４３は嵌装できない。したがって、ガラス板４３の嵌め込み作業にあっては、必然的に上方嵌装阻止部３０ｂ−１を避けて、上方嵌装阻止部３０ｂ−１の分だけ回動軸側から離れた位置から、つまり開閉側ガラス板取付レール３０ａの嵌装溝３０ａ−２に嵌め込むようにして、ガラス板４３の取り付け作業を行うこととなる。なお、ガラス板４３は、開閉側ガラス板取付レール３０ａの嵌装溝３０ａ−２に沿って、下部側ガラス板取付レール３０ｃの嵌装溝３０ｃ−２に嵌り込む位置まで下降される（図７（ａ））。
【００７０】
このようにして嵌装されたガラス板４３は、次に移動補助部材２５によってガラス板取付位置５１方向へと押圧して摺動される。すなわち、図７（ａ）に示す位置に嵌装された状態のガラス板４３は、移動補助部材２５によって下部側ガラス板取付レール３０ｃの嵌装溝３０ｃ−２をスライドするように回動軸側に移動されて回動軸側ガラス板取付レール３０ｂの嵌装溝３０ｂ−２に嵌装され、これによって、開閉側ガラス板取付レール３０ａの嵌装溝３０ａ−２、回動軸側ガラス板取付レール３０ｂの嵌装溝３０ｂ−２および下部側ガラス板取付レール３０ｃの嵌装溝３０ｃ−２の３つの嵌装溝に嵌め込まれる（図７（ｂ））。
【００７１】
なお、本実施の形態では、２枚のガラス板（第１のガラス板および第２のガラス板）４３が相互に前後方向に所定の間隔をあけてそれぞれ着脱可能にガラス板取付レール３０に保持されているが、ガラス板の枚数は１枚あるいは３枚以上であってもよい。
【００７２】
図８に示すように、遊技機本体部３ａには、前面枠５０に設けられた受け部２８と連携して前面枠５０を遊技機本体部３ａに対して開閉可能に施錠するロック爪３５，３６，３７を備えた施錠装置３４が取り付けられている。
【００７３】
ロック爪３５，３６，３７は引っ張りバネ（図示せず）により前述した係合部４０，４１，４２と係合した状態となる位置に保持されている。そして、シリンダ錠３４ａ−１に鍵を差し込んでこれを一方向に回すか、図示しない操作片を押し下げることにより、バネ力に抗して下方向にスライド移動して前面枠５０が開放可能になる。
【００７４】
なお、シリンダ錠３４ａ−１に鍵を差し込んでこれを前述とは反対方向に回すと、遊技機本体部３ａと枠体３ｂとをロックしている機構が解除されて、遊技機本体部３ａが開放可能になる。
【００７５】
以上説明した前面枠５０と遊技機本体３とを図９に示す。図示する場合において、前面枠５０のヒンジピン２９ａが遊技機本体部３ａに回動自在に嵌り込んで回動軸が形成され、前面枠５０はこの回動軸を回動支点にして遊技機本体部３ａに対して開閉される。
【００７６】
さて、図１０に示すように、遊技機本体部３ａの正面向かって右側には、前面枠５０が遊技機本体部３ａに対して閉じられたときに樹脂製の開閉側ガラス板取付レール３０ａに圧接してこれを弾性変形させるレール圧接部６０が、前方に突出して上下方向に延びて設けられている。
【００７７】
図１１に示すように、このレール圧接部６０は、前面枠５０が閉じられた状態で、その上端が開閉側ガラス板取付レール３０ａの上端近傍に位置しており、ここから下へと延びて、その下端が前述した移動補助部材２５の貫通する移動補助部材用貫通孔２５ａの下方に位置している。
【００７８】
なお、レール圧接部６０の長さは本実施の形態に示すものに限定されるものではなく、図示する場合よりも長くても、あるいは短くてもよい。また、このように線状に所定の長さにわたって圧接するのではなく、１または複数の突起でレール圧接部を形成し、点状に圧接するようにしてもよい。
【００７９】
レール圧接部６０には、開閉側ガラス板取付レール３０ａの背面側（つまり、レール圧接部６０側）に形成された２つのリブ３０ａ−３との干渉を回避するための切り欠き６０ａが形成されている。したがって、レール圧接部６０は、リブ３０ａ−３を押圧することによる押圧力のばらつきを回避しつつ、開閉側ガラス板取付レール３０ａの所定範囲に均等に圧接して弾性変形させる。
【００８０】
そして、このようにレール圧接部６０により開閉側ガラス板取付レール３０ａを弾性変形させることで、弾性変形した開閉側ガラス板取付レール３０ａによってガラス板４３が挟み込まれ、さらに当該ガラス板４３が前面枠５０に押さえつけられるので、開閉側ガラス板取付レール３０ａとガラス板４３との間で発生するビビリ音のみならず、開閉側ガラス板取付レール３０ａと前面枠５０、ひいては前面枠５０と遊技機本体部３ａとの間で発生するビビリ音まで、広くガラス板４３の振動に起因して発生するビビリ音を抑制することが可能になる。
【００８１】
そして、図示するように、レール圧接部６０を、開閉側ガラス板取付レール３０ａに沿って延展すれば（ここでは、開閉側ガラス板取付レール３０ａの上端近傍から移動補助部材用貫通孔２５ａの下方までの長さに延展すれば）、開閉側ガラス板取付レール３０ａはレール圧接部６０によって広範囲にわたり弾性変形されるようになる。したがって、開閉側ガラス板取付レール３０ａとガラス板４３との間の振動が確実に抑制されるようになり、ガラス板４３の振動に起因して発生するビビリ音をより確実に抑制することができる。
【００８２】
ここで、図１２に詳しく示すように、開閉側ガラス板取付レール３０ａの受け入れ部である嵌装溝３０ａ−２（ここでは、レール圧接部６０側の嵌装溝３０ａ−２）は、ガラス板４３の端部を受け入れてこれを挟持する断面コ字状の形状となっており、レール圧接部６０は、このような形状の嵌装溝３０ａ−２に圧接して当該嵌装溝３０ａ−２をガラス板４３に圧接させている。
【００８３】
これにより、ガラス板４３が断面コ字状の受け入れ部である嵌装溝３０ａ−２により開閉側ガラス板取付レール３０ａに確実に挟み込まれるので、開閉側ガラス板取付レール３０ａとガラス板４３との間の振動が確実に抑制される。また、このようにガラス板４３が嵌装溝３０ａ−２により開閉側ガラス板取付レール３０ａに確実に挟み込まれることから、開閉側ガラス板取付レール３０ａによりガラス板４３が強固に支持される。
【００８４】
ここで、レール圧接部６０とは反対側の嵌装溝３０ａ−２は、図示するように、断面Ｌ字状の支持部となってガラス板４３の一方面側の端部を支持している。この嵌装溝３０ａ−２は扉ベース２６に面しているためこのような形状になっており、扉ベース２６を構成する部材とでガラス板４３が嵌り込む空間が形成される。
【００８５】
なお、回動軸側ガラス板取付レール３０ｂおよび下部側ガラス板取付レール３０ｃも同様に、開閉側ガラス板取付レール３０ａの断面コ字状の受け入れ部としての嵌装溝３０ａ−２と連通した嵌装溝３０ｂ−２，３０ｃ−２が断面コ字状の形状を呈した受け入れ部となり、断面Ｌ字状の支持部としての嵌装溝３０ａ−２と連通した嵌装溝３０ｂ−２，３０ｃ−２が断面Ｌ字状の形状を呈した支持部となっている。したがって、２枚のガラス板の内、レール圧接部６０側を第１のガラス板４３、その反対側を第２のガラス板４３とすると、３本のガラス板取付レール３０は、第１のガラス板４３を受け入れる受け入れ部としての嵌装溝３０ａ−２，３０ｂ−２，３０ｃ−２と、第２のガラス板４３の一方面側の端部を支持する支持部としての嵌装溝３０ａ−２，３０ｂ−２，３０ｃ−２とを備えている。
【００８６】
そして、図１１および図１２に示すように、開閉側ガラス板取付レール３０ａには、第１のガラス板４３を受け入れる受け入れ部である嵌装溝３０ａ−２と支持部である嵌装溝３０ａ−２との間に、レール圧接部６０が受け入れ部であるレール圧接部６０側の嵌装溝３０ａ−２に圧接した際の圧接力を伝達して、支持部である嵌装溝３０ａ−２を弾性変形させる圧接力伝達部６１が、移動補助部材２５の上下２カ所に形成されている。なお、圧接力伝達部６１は１カ所あるいは３カ所以上に形成されていてもよい。
【００８７】
圧接力伝達部６１は２つの嵌装溝３０ａ−２に跨るようにしてこれらの嵌装溝３０ａ−２と一体に形成され、内部に空間が形成された上下方向に長い略長方形の枠状になっている。そして、内部空間を区画するようにして水平方向に延びた２つの内壁部６１ａ、および上下両端に位置して同じく水平方向に延びた２つの外壁部６１ｂを有している。そして、レール圧接部６０が受け入れ部であるレール圧接部６０側の嵌装溝３０ａ−２に圧接した際の水平方向への圧接力が水平方向に延びた内壁部６１ａおよび外壁部６１ｂにより反対側の支持部である嵌装溝３０ａ−２に伝達され、これにより支持部である嵌装溝３０ａ−２が弾性変形される。
【００８８】
このよう圧接力伝達部６１により、２枚のガラス板４３の何れもが弾性変形した開閉側ガラス板取付レール３０ａの嵌装溝３０ａ−２に挟み込まれることによって振動が抑制されるので、ガラス板４３を前後に２枚配置した場合であっも、広くガラス板４３の振動に起因して発生するビビリ音を抑制することが可能になる。
【００８９】
なお、本実施の形態においては、レール圧接部６０は遊技機本体部３ａの正面向かって右側に、開閉側ガラス板取付レール３０ａに対応して設けられているが、遊技機本体部３ａの正面向かって左側に、回動軸側ガラス板取付レール３０ｂに対応して設けることもできる。また、下部側ガラス板取付レール３０ｃに対応して設けることもできる。
【００９０】
すなわち、本発明において、レール圧接部は、開閉側ガラス板取付レール３０ａ、回動軸側ガラス板取付レール３０ｂおよび下部側ガラス板取付レール３０ｃの少なくとも何れか一つに対応して設けられていればよい。
【００９１】
なお、レール圧接部を下部側ガラス板取付レール３０ｃに対応して設けた場合には、下部側ガラス板取付レール３０ｃを弾性変形させるため、当該下部側ガラス板取付レール３０ｃは例えば樹脂のように弾性変形が可能な部材で構成される。
【産業上の利用可能性】
【００９２】
以上の説明においては、本発明を遊技機の一つであるパチンコ遊技機に適用した場合が説明されているが、本発明はこれに限定されるものではなく、パチスロ機、あるいはゲームセンターに設置された各種ゲーム機など、種々の遊技機に適用することが可能である。
【図面の簡単な説明】
【００９３】
【図１】本発明の一実施の形態である遊技機を示す斜視図である。
【図２】図１に示した遊技機の正面図である。
【図３】本発明の一実施の形態である遊技機の前面枠を背面側から示す正面図である。
【図４】本発明の一実施の形態である遊技機の前面枠を背面側から示す斜視図である。
【図５】開閉側ガラス板取付レールを前面枠とともに示す側面図である。
【図６】下部側ガラス板取付レールを前面枠とともに示す平面図である。
【図７】ガラス板の取り付け作業状態を示す説明図であり、（ａ）はガラス板を嵌装した直後の状態を示し、（ｂ）はガラス板がガラス板取付位置に移動して押圧保持されている状態を示す。
【図８】本発明の一実施の形態である遊技機の遊技機本体を示す斜視図である。
【図９】前面枠と遊技機本体とを並べて示す分解斜視図である。
【図１０】遊技機本体部に設けられたレール圧接部を示す斜視図である。
【図１１】レール圧接部と開閉側ガラス板取付レールとを示す側面図である。
【図１２】レール圧接部と開閉側ガラス板取付レールとを断面をとって詳しく示す斜視図である。
【符号の説明】
【００９４】
１  パチンコ遊技機（遊技機）
２  遊技盤
２ａ  遊技領域
３  遊技機本体（ベース枠）
３ａ  遊技機本体部
３ｂ  枠体
３ｃ  ヒンジ
４  上皿部
４ａ  上皿
５  下皿部
５ｂ  下皿
６  カバー
８  シャッタレバー
８ａ，８ｂ  スピーカ
７  発射ハンドル
９  ガラス扉
１２  一般入賞口
１３  通過ゲート
１４  始動入賞口
１５  大入賞口
１６  アウト口
１７  始動入賞口
１８  電動役物構成部材
２１  液晶表示装置（ＬＣＤ）
２１ａ  表示領域
２５  移動補助部材
２５ａ  移動補助部材用貫通孔
２６  扉ベース
２６ａ  開口
２７  装飾部材
２８  受け部
２９  補強板
２９ａ  ヒンジピン
３０  ガラス板取付レール
３０ａ  開閉側ガラス板取付レール
３０ａ−２  嵌装溝（受け入れ部、支持部）
３０ａ−３  リブ
３０ｂ  回動軸側ガラス板取付レール
３０ｂ−１  上方嵌装阻止部
３０ｂ−２  嵌装溝
３０ｂ−３  ガラス板離脱防止片
３０ｃ  下部側ガラス板取付レール
３０ｃ−２  嵌装溝
３１  突設部
３４  施錠装置
３４ａ  シリンダ錠
３５，３６，３７  ロック爪
４０，４１，４２  係合部
４３  ガラス板
５０  前面枠
５１  ガラス板取付位置
６０  レール圧接部
６０ａ  切り欠き
６１  圧接力伝達部
６１ａ  内壁部
６１ｂ  外壁部
【図１】
2007029339.tif 000003
【図２】
2007029339.tif 000004
【図３】
2007029339.tif 000005
【図４】
2007029339.tif 000006
【図５】
2007029339.tif 000007
【図６】
2007029339.tif 000008
【図７】
2007029339.tif 000009
【図８】
2007029339.tif 000010
【図９】
2007029339.tif 000011
【図１０】
2007029339.tif 000012
【図１１】
2007029339.tif 000013
【図１２】
2007029339.tif 000014